(57)【要約】【課題】  看護が必要な老人や病人等の衰弱傾向にある人の使用においても、体への負担が少なく使用品質がよい体位保持パットを提供する点にある。【解決手段】  体部位の体重を下敷き状態で受止め支持可能な体位保持パットＡであって、パット本体１の少なくとも体部位と面接する表面１Ａが曲面に形成されているとともに、パット本体１の裏面１Ｂが安定載置可能な底部に形成され、且つ、パット本体１が、熱可塑性合成樹脂の糸をランダムな立体網目状に接合して、体積中の空間部分が全方向にランダムに連通形成された立体網目状弾性体Ｂから構成されている。【選択図】        図１
2005118136.tif 000002
【特許請求の範囲】
【請求項１】
体部位の体重を下敷き状態で受止め支持可能な体位保持パットであって、パット本体の少なくとも体部位と面接する表面が曲面に形成されているとともに、パット本体の裏面が安定載置可能な底部に形成され、且つ、パット本体が、熱可塑性合成樹脂の糸をランダムな立体網目状に接合して、体積中の空間部分が全方向にランダムに連通形成された立体網目状弾性体から構成されている体位保持パット。
【請求項２】
前記パット本体が、略半円柱状型、半円鐘型、又は、略ドーム型の断面形状に形成されている請求項１記載の体位保持パット。
【請求項３】
前記体位保持パットが、湾曲する外周縁側ほど立体網目状弾性体の網状間密度が大きくなるように構成されている請求項１又は２記載の体位保持パット。
【請求項４】
前記体位保持パットが、湾曲する外周縁端に保型性のあるフランジ部が一体形成されている請求項１、２又は３記載の体位保持パット。
【請求項５】
前記体位保持パットが、通気性に優れたカバーで覆われているとともに、カバーの底面には滑り止め手段が形成されている請求項１、２、３又は４記載の体位保持パット。
【発明の詳細な説明】
【技術分野】
【０００１】
本発明は、体部位に下敷き状態にあてがって使用する体位保持パットに関する。
【背景技術】
【０００２】
一般に、老人や病人等の衰弱傾向にあって介護を受ける必要のある人おいては、寝返り動作ができなかったり緩慢になったりする状態にあるため、家族や看護師等の介助者が定期的に寝姿勢や座り姿勢等の体位を変えて、寝床に対する体部位の接触面が同じにならないようにして、床ずれや褥瘡になりにくくすることが行なわれている。
従来においては、寝姿勢や座り姿勢を変えるにあたって、体位を保持するためのパットが種々考えられている。例えば、背中側と寝床との間に断面三角形形状のパットをあてがって横向き寝姿勢の体位を保持したり、屈曲する脚部の上腿部と下腿部と寝床との間に、断面三角形形状のパットを積重ねて使用したりするものが存在している（例えば、特許文献１参照）。
【０００３】
【特許文献１】特開昭６３−１９４６５８号公報（第２−３頁、図６、図８）
【発明の開示】
【発明が解決しようとする課題】
【０００４】
しかしながら、このような従来のパットは、ウレタンなどから形成されているため、断面三角形形状であれば三角の頂点部分、断面矩形であればコーナー部分といった肉厚が最も厚い箇所が体部分と接当することになり、他の接当部分よりも体部分に強い反力を付与するとともに、局部的に蒸れやすい状態を作りやすく、健全な人には負担でなくても、衰弱傾向にある人にとっては体への負担となる問題がある。
本発明は上記の事情に鑑みてなされたものであり、その目的とするところは、看護が必要な老人や病人等の衰弱傾向にある人の使用においても、体への負担が少なく使用品質がよい体位保持パットを提供する点にある。
【課題を解決するための手段】
【０００５】
本発明の第１番目の体位保持パットの特徴構成は、体部位の体重を下敷き状態で受止め支持可能な構成において、パット本体の少なくとも体部位と面接する表面が曲面に形成されているとともに、パット本体の裏面が安定載置可能な底部に形成され、且つ、パット本体が、熱可塑性合成樹脂の糸をランダムな立体網目状に接合して、体積中の空間部分が全方向にランダムに連通形成された立体網目状弾性体から構成されている点にある。
【０００６】
上記特徴構成によれば、体部位と接当する表面が曲面に形成されているので、立体網目状弾性体が有する体圧分散性を有効に作用させることができる結果、体部分を柔軟に受止めることができるとともに、パット自体に通気性があるので、接当する全面に亘って蒸れるのを阻止することができる。
【０００７】
従って、衰弱傾向にある人の使用においても、体部位を負担少なく受止め支持することができるので、使用感、使用品質がよくこの種の体位保持パットの信頼性の向上を図ることができる。
【０００８】
本発明の第２番目の体位保持パットの特徴構成は、前記パット本体が、略半円柱状型、半円鐘型、又は、略ドーム型の断面形状に形成されている点にある。
【０００９】
上記特徴構成によれば、何れの断面形状においても、表面が湾曲形態であるので、体部位の接当部位が何れの表面部位であっても曲面が対応することができ、体圧分散性を有効に作用することができる受止め構造になっている。
【００１０】
従って、接当箇所に係わらずに同じ使用感で使用することができるので、使い勝手が良い利点を有する。
【００１１】
本発明の第３番目の体位保持パットの特徴構成は、前記体位保持パットが、湾曲する外周縁側ほど網状弾性体の網状間密度が大きくなるように構成されている点にある。
【００１２】
上記特徴構成によれば、体部位が表面である曲面に接当する状態では、体重の荷重分布が湾曲する頂き部分を中心に、頂き部分から外周縁側に離れるにつれて荷重が減少する傾向を示し、これに対応して、接当部分の網状間密度は小さい頂き部分が最も沈み込むことになり、頂きから外周縁側に離れる程、網状間密度が大きくなるので、徐々に沈み込みが小さくなる状態になって、結果的にはどの接当部分においても均一化された反力で体部位を受止め保持する状態を形成することができる。このことは、例えば、同一体積密度のウレタン材等を用いた平板状の体位保持パットなどの場合、体重が最も重い中央部分での沈み込みが最も大きく、これから離れる程に沈み込みが小さくなる状態になるが、沈み込みが大きい程、対応する体部位への反力が大きくなる構造となっており、体への負担が増すとともに、蒸れ易くもなるものと比べて、衰弱傾向にある人の使用においても、体への負担が小さく、蒸れ難い構造を形成することができる。
【００１３】
従って、長時間の使用に亘って接当する体部位への負担が軽くなると言った、使用品質の向上を図って、信頼性の高い体位保持パットを提供することができる。
【００１４】
本発明の第４番目の体位保持パットの特徴構成は、前記体位保持パットが、湾曲する外周縁端に保型性のフランジ部が一体形成されている点にある。
【００１５】
上記特徴構成によれば、クッション性があって表面が屈曲したパット本体自体は、形状的に掴みにくい一面があるが、フランジ部の存在によってつかみやすくすることができる。そのため、複数の体位保持パットを用いる場合であっても、取扱い性良く使用することができる。また、一対の体位保持パットの底部同士を合わせて使用する際にも、対向するフランジ部同士をクリップ等で挟み付けるようなことも簡単に実施することができる。
【００１６】
従って、この種体位保持パットにおける取扱い性の向上を図ることができる。
【００１７】
本発明の第５番目の体位保持パットの特徴構成は、前記体位保持パットが、通気性に優れたカバーで覆われているとともに、カバーの底面には滑り止め手段が形成されている点にある。
【００１８】
上記特徴構成によれば、カバーすることによっても、立体網目状弾性体の通気性を損なうことなく、肌触りを使用カバー素材の選択によって多様な肌触りのカバーを製作することができるとともに、滑り止め手段によって体位保持パットの体位保持機能を十分に活用することができる。
【００１９】
従って、パット本体の機能にカバー及び滑り止め手段の持つ機能を相乗付加することができ、製品の商品性の向上を図ることができる。
【発明を実施するための最良の形態】
【００２０】
以下、本発明を適用した体位保持パットＡを図１〜図８の図面に基づいて説明する。
【実施例１】
【００２１】
体位保持パットＡは、図１〜図３に示すように、体部位の体重を下敷き状態で受止め支持可能なパット本体１の体部位と接当する表面１Ａが曲面に形成されているとともに、パット本体１の裏面１Ｂが安定載置可能な平坦な底部に形成され、且つ、パット本体１には、通気性に優れたカバー２で覆われているとともに、カバー２の底面２Ａには滑り止め手段３が形成されている。
【００２２】
前記パット本体１は、熱可塑性合成樹脂材からなる多数の絡み糸１ａが体積空間に分布して通気性と体圧分散性を有する立体網目状弾性体Ｂから構成され、体部位と接当する表面１Ａが曲面形状を形成する略半円柱状型に形成されている。この実施形態においては、例えば、図１に示すように、底部の幅Ｗが約２００ｍｍ程度で、幅中央部の肉厚高さＨが約８０ｍｍ程度、長さＬが約４００ｍｍ程度の略半円柱状型のパット本体１からなる体位保持パットＡが採用されている。
【００２３】
この実施形態の立体網目状弾性体Ｂとしては、熱可塑性合成樹脂の糸をランダムな立体網目状に接合して、体積中の空間部分が全方向にランダムに連通形成された立体構造体を形成したものが使用され、一例としては、東洋紡績株式会社のブレスエアー（商品名、商標）と言った立体網目状弾性体があげられる。
【００２４】
また、立体網目状弾性体Ｂは、立体網目を形成する絡み糸１ａの糸外径の大小、又は、絡み糸１ａの体積分布の疎密によって、密度を種々に変化することで、体圧分散性の大小を変化させることができ、絡み糸１ａは設定空間内に均等射出して、可塑化が残留する状態の糸同士を干渉させて、干渉する糸同士が接合状態となって形成される。
【００２５】
立体網目状弾性体Ｂを形成する熱可塑性樹脂は、ポリオレフィン系、ポリエステル系、ポリウレタン系などの熱可塑性樹脂エラストマーが好ましく、より好ましくはポリエステル系熱可塑性エラストマーである。
【００２６】
ポリエステル系エラストマーとしては、熱可塑性ポリエステルをハードセグメントとし、ポリアルキレンジオールをソフトセグメントとするポリエステルエーテルブロック共重合体、又は、脂肪族ポリエステルをソフトセグメントとするポリエステルエーテルブロック共重合体が例示できる。
【００２７】
ポリエステルエーテルブロック共重合体のより具体的な事例としては、テレフタル酸、イソフタル酸、ナフタレン・２，６−ジカルボン酸、ナフタレン・２，７−ジカルボン酸、ジフェニル−４，４'−ジカルボン酸等の芳香族ジカルボン酸、１，４−シクロヘキサンジカルボン酸等の脂環族ジカルボン酸、琥珀酸、アジピン酸、セバチン酸、ダイマー酸等の脂肪族ジカルボン酸又は、これらのエステル形成性誘導体などから選ばれたジカルボン酸の少なくとも１種と、１，４・ブタンジオール、エチレングリコール、トレメチレングリコール、テトレメチレングリコール、ペンタメチレングリコール、ヘキサメチレングリコール等の脂肪族ジオール、１，1−シクロヘキサンジメタノール、１，４−シクロヘキサンジメタノール等の脂環族ジオール、又はこれらのエステル形成性誘導体などから選ばれたジオール成分の少なくとも1種，及び平均分子量が約３００〜５０００のポリエチレングリコール、ポリプロピレングリコール、ポリテトラメチレングリコール、エチレンオキシド−プロピレンオキシド共重合体等のポリアルキレンジオールのうち少なくとも１種から構成される三元ブロック共重合体である。
【００２８】
ポリエステルエステルブロック共重合体としては、上記ジカルボン酸とジオール及び平均分子量が約３００〜３０００のポリラクトン等のポリエステルジオールのうち少なくとも各１種から構成される三元ブロック共重合体である。
【００２９】
熱接着性、耐加水分解性、伸縮性、耐熱性等を考慮すると、ジカルボン酸としてはテレフタル酸、及び／又はナフタレン−２，６−ジカルボン酸、ジオール成分としては１，４・ブタンジオール、ポリアルキレンジオールとしてはポリテトラメチレングリコールの三元ブロック共重合体又は、ポリエステルジオールとしてのポリラクトンの三元ブロック共重合体が特に好ましい。
【００３０】
特殊な例では、ポリシロキサン系のソフトセグメントを導入したものも使うことができる。また、上記ポリエステルエラストマーは単独又は２種類以上混合して使用できる。更には、ポリエステルエラストマーに非エラストマー成分をブレンドされたもの、共重合したもの等も使用できる。
【００３１】
立体網目状構造体Ｂは、抗菌性や撥水性、耐水性、耐熱性であることが好ましく、これらの特性を発揮させるために、原料の熱可塑性樹脂中にこれらの添加剤を含有させ、これらの特性を発揮する加工剤で処理することが好ましい。
【００３２】
立体網目状構造体Ｂは、必要に応じて、可塑剤、安定剤、紫外線吸収剤、帯電防止剤、防黴剤、着色剤、酸化防止剤、難燃剤、消臭剤、抗菌剤、マイクロカプセル型等の熱膨張剤、加工助剤等の公知の添加剤を添加することができる。
【００３３】
体位保持パットＡは、例えば、断面形状が長方形状の四角柱形状の原形パットの長方形状の一方の長辺に対して、他辺の長辺を可塑化熱温度に加熱された反円柱状型を押圧して、湾曲する外周縁端に約１０ｍｍ程度で保型性のあるフランジ部Ａ１を一体形成しているとともに、図４に示すように、湾曲する外周縁側ほど立体網目状弾性体Ｂの網状間密度が大きくなる、つまり、厚さが最も厚い中央部分の網状間密度が粗とするならば、厚さが薄くなる外周縁側に向かう程に、網状間密度が密になるように構成されている。
【００３４】
前記カバー２は、パット本体１の外観形状に対応する袋体から形成され、肌触りや質感等、体部分との良好な接触性を保つために、使用条件や使用者の要求性能によって異なるが、木綿、羊毛、絹、麻等の天然繊維、ポリエステル、ポリアミド、ポリアクリロニトリル等の合成繊維、レーヨン等の再生繊維、アスベスト、ガラス繊維等の無機繊維等から選ばれる繊維からなる不織布、織物、編物、若しくは、積層物等が用いられる。
【００３５】
また、必要に応じて、抗菌防臭性、制菌性、消臭性、ノネナール消臭性、吸湿性、放湿性、ｐＨ緩衝性、制電性、防汚性、抗ピル性の多機能を発現させることもできる。その加工方法は、特に限定されない。
【００３６】
前記滑り止め手段３は、図３に示すように、パット本体１のフランジ部Ａ１の底部側に対応するカバー部分に、例えば、長手方向に沿って帯状のシリコンシート３Ａを貼着することによって形成したものや、パット本体１の底部に対応するカバー部分の全面に粒状でシリコン材やゴム材からなる滑り止め体の多数を、ランダム、或いは、配列等の規則的に分布形成したものが一例としてあげられ、図面には前者のものを図示してある。
【００３７】
このような構成の体位保持パットＡの使い方としては、図５（イ）に示すように、背中片側と寝床との間、或いは、片側臀部と寝床との間に介装使用して、横向き寝姿勢の体位を保持したり、図５（ロ）に示すように、座った姿勢の臀部と寝床との間に介装使用して、座り姿勢の体位を保持したり、図５（ハ）に示すように、折り曲げ脚部の上大腿部と下大腿部と寝床との間に介装使用して、足の立て曲げ姿勢の体位を保持したり、図５（ニ）に示すように、うつ伏せ姿勢の胸部と寝床との間に介装使用して、うつ伏せ姿勢の体位を保持したりする等して、多様な姿勢状態の体位を保持することに使用することができる。
【００３８】
また、複数の体位保持パットＡを用いて、図６に示すように、同方向に重ね合わせたり、図７に示すように、屈曲する表面が交互に重なる状態に配列したりして、体部位と寝床との間に介装するパットの使用数を増やして、使用者の体格に合わせた使用の仕方をすることができる。
【００３９】
さらに、図８に示すように、一対の体位保持パットＡ，Ａの底部同士を合わせるように重ね合わせて用いてもよい。この場合、対応するフランジ部Ａ１，Ａ１同士をＵ字状のクリップＫなどで挟持することによって、体位保持パット同士を一体化して使用に便利なような工夫を行なってもよい。
【００４０】
〔別実施形態〕
１）  上記実施形態の体位保持パットＡは、略半円柱状型に形成されているものについて説明したが、本発明はこれに限らず、半円鐘型、又は、略ドーム型であってもよい。
【００４１】
２）  上記実施形態の体位保持パットＡの大きさに限らず、例えば、図９に示すように、底部の幅Ｗが約４００ｍｍ程度で、幅中央部の肉厚高さＨが約８０ｍｍ程度、長さＬが約４００ｍｍ程度の略半円柱状型で表面の曲面が大きな体位保持パットＡを単独又は上記実施例のパットＡと組み合わせて用いてもよく、この場合、介護が必要な人の体格や、使用者の好みに合わせて使用することがでる。ここで、上記実施形態と同構成箇所には同符号を付してその説明は省略する。
また、多様なサイズのものを製品体系化することによって、使用の多様化を図ることができる。
【００４２】
３）  上記実施形態の体位保持パットＡに限らず、例えば、長手方向に沿って網目状密度が異なる複数のパット本体を一連に一体連接した体位保持パットを構成してもよい。
この場合、手や足用の体位保持パットに用いて、好適な体圧分散性のあるパット本体部分を利用することが可能となる。
【産業上の利用可能性】
【００４３】
本発明は、家庭や病院において、介護を必要とする老人や病人等の体が衰弱傾向にある人に利用される体位保持パットに関する。
【図面の簡単な説明】
【００４４】
【図１】本発明を適用した体位保持パットを一部簡略して示す簡略斜視図
【図２】体位保持パットの外観を示す簡略斜視図
【図３】体位保持パットの滑り止め手段が見える外観を示す簡略斜視図
【図４】体位保持パットの縦断面を示す説明図
【図５】体位保持パットの使用形態の一例を示す説明図    （イ）は背中片側と寝床との間に介装した使用形態を示す説明図    （ロ）は臀部と寝床との間に介装した使用形態を示す説明図    （ハ）は屈曲した脚部の上腿部と下腿部と寝床との間に介装した使用形態を示す説明図    （ニ）はうつ伏せ状態の胸部と寝床との間に介装した使用形態を示す説明図
【図６】複数の体位保持パットを同方向に重ね合わせた使用状態を示す説明図
【図７】複数の体位保持パットの表裏を交互に重ね合わせた使用状態を示す説明図
【図８】一対の体位保持パットを重ね合わせた使用状態を示す説明図
【図９】本発明を適用した体位保持パットの変形例を示す簡略斜視図
【符号の説明】
【００４５】
Ａ        体位保持パット
Ａ１      フランジ部
Ｂ        立体網目状弾性体
１        パット本体
１Ａ        表面
１Ｂ        裏面
２        カバー
３        滑り止め手段
【図１】
2005118136.tif 000003
【図２】
2005118136.tif 000004
【図３】
2005118136.tif 000005
【図４】
2005118136.tif 000006
【図５】
2005118136.tif 000007
【図６】
2005118136.tif 000008
【図７】
2005118136.tif 000009
【図８】
2005118136.tif 000010
【図９】
2005118136.tif 000011